(57)【要約】【課題】  インクジェット記録ヘッドの温度を検出し、連続記録時における昇温を抑制するよう記録媒体の搬送を制御する場合にあって、所謂手差し給紙を行う場合に生じ得る記録のスループット低下を防止する。【解決手段】  今回の記録開始時における現在温度を第１の基準温度と比較し、第１の基準温度未満であれば問題がないと判定して、通常の搬送タイミングにてそのまま搬送を行う。現在温度が第１の基準温度以上であっても、前回の記録時における最高温度が第２の基準温度未満であれば、記録媒体の搬送タイミングを遅らせることなくそのまま搬送を続けて記録を開始させる。そして現在温度および前回記録時の最高温度が第１および第２の基準温度以上の場合にのみ、搬送タイミングを遅らせる制御を行う。【選択図】  図４
2006051738.tif 000002
【特許請求の範囲】
【請求項１】
インクを吐出するための記録ヘッドを用いて記録媒体に対し記録を行うインクジェット記録装置において、
前記記録を行うために送給された記録媒体を前記記録ヘッドに対して搬送する手段と、
前記記録ヘッドの温度を検出する手段と、
現在の記録媒体への記録に先立って検出された前記記録ヘッドの現在温度および以前の記録媒体への記録時に検出された前記記録ヘッドの過去温度を、それぞれ、第１および第２の基準温度と比較する比較手段と、
当該比較に基づいて前記搬送を制御する搬送制御手段と、
を具えたことを特徴とするインクジェット記録装置。
【請求項２】
前記搬送制御手段は、前記現在温度が前記第１基準温度以上であり、かつ前記過去温度が前記第２基準温度以上である場合にのみ、前記送給から前記記録後の前記記録媒体の排出に至る搬送時間が長くなるよう、前記搬送を制御することを特徴とする請求項１に記載のインクジェット記録装置。
【請求項３】
前記搬送制御手段は、前記記録ヘッドによる記録に先立って前記搬送を停止することを特徴とする請求項２に記載のインクジェット記録装置。
【請求項４】
前記搬送制御手段は、前記記録時における前記搬送の速度を低下させることを特徴とする請求項２に記載のインクジェット記録装置。
【請求項５】
前記過去温度は、直前の記録媒体への記録時に検出された最高温度であることを特徴とする請求項１ないし４のいずれかに記載のインクジェット記録装置。
【請求項６】
手動による前記送給を許容するものであることを特徴とする請求項１ないし５のいずれかに記載のインクジェット記録装置。
【請求項７】
前記記録ヘッドは、インクを吐出するために利用されるエネルギとして、インクに膜沸騰を生じさせる熱エネルギを発生する素子を有することを特徴とする請求項１ないし６のいずれかに記載のインクジェット記録装置。
【請求項８】
インクを吐出するための記録ヘッドを用いて記録媒体に対し記録を行うインクジェット記録装置の制御方法において、
前記記録を行うために送給された記録媒体を前記記録ヘッドに対して搬送する手段と、
前記記録ヘッドの温度を検出する手段と、を具え、
現在の記録媒体への記録に先立って検出された前記記録ヘッドの現在温度および以前の記録媒体への記録時に検出された前記記録ヘッドの過去温度を、それぞれ、第１および第２の基準温度と比較し、当該比較に基づいて前記搬送を制御することを特徴とするインクジェット記録装置の制御方法。
【発明の詳細な説明】
【技術分野】
【０００１】
本発明は、ノズルからインクを吐出して記録媒体に画像を記録するインクジェット記録装置およびその制御方法に関し、とりわけ手動による記録媒体の送給を行う機構を具えたインクジェット記録装置に適用して好適なものである。
【背景技術】
【０００２】
インクジェット記録方式は、記録手段であるインクジェット記録ヘッドのコンパクト化が容易であり、高精細な画像を高速で記録することができるとともに、特別な処理を施していない所謂普通紙に対しても記録を行うことができることからランニングコストが低廉であるという利点を有している。また、ノンインパクトの記録方式であるため騒音の発生が少なく、しかも多色のインクを使用したカラー画像記録に対応することが容易であるなどの利点も有している。
【０００３】
インクジェット記録方式を実現するための記録ヘッドにも種々の吐出方式を採用するものがある。中でも、熱エネルギを利用してインクを吐出する方式によるインクジェットヘッドは、半導体製造工程と同様のプロセスを経て、通電に応じて熱エネルギを発生する発熱抵抗体（吐出ヒータ）および配線等を高密度に多数配置した基板を用いるものであり、記録の高精細化および高速化を実現できるので有利である。
【０００４】
かかるインクジェット記録装置では、画像データに応じて吐出ヒータを駆動し、複数のインクノズルから記録媒体に向けインクを選択的に吐出させることで画像を記録するが、熱エネルギをインク吐出の原動力としているので、連続的に記録を行う場合は印加されたエネルギを放熱しきれずにヘッド温度が上昇することがある。ヘッドの温度が上昇すると、インクの粘度が低下して、同じ熱エネルギを印加しても吐出量が大きくなる傾向が見られる。また、へッド温度が過度に上昇してしまった場合は、インクの表面張力が低下してノズル先端に形成されるメニスカスを維持できなくなり、吐出不良を引き起こし、画像品位が低下する恐れもある。
【０００５】
そこで従来は、記録ヘッド内部温度を所定のタイミングで検知し、これを単一の基準温度と比較し、検知温度が基準温度を上回っていた場合には吐出ヒータの駆動パルス幅を変更したり、あるいは記録媒体の搬送速度を低下させることで、ヘッド温度が一定温度以上に上昇しないように制御し、これによって温度上昇に起因した画質の劣化が生じないようにすることが多かった（例えば特許文献１）。そして、所定のタイミングを経過した後の温度検出によって基準温度以下であることが判定された場合には、搬送速度等を通常の値に戻すようにしているものである。
【０００６】
【特許文献１】特開平０７−０４７６７０号公報（第１０頁、図２２）
【発明の開示】
【発明が解決しようとする課題】
【０００７】
かかる制御は、ロール紙やファンフォールド紙などの連続紙形態の記録媒体に対して記録を行う場合や、あるいはカットシート状の記録媒体であってもこれを連続的に送給して記録を行う場合には有効である。しかしながら、所謂手差し給紙を行う場合など、記録媒体送給の連続性が低い場合には、ある記録媒体への記録に伴って記録ヘッドが基準温度を超過しても、次の記録媒体の送給を行うまでに十分な時間間隔が置かれていることもある。そのような場合、その間に記録ヘッド温度が十分に低下した状態であるにもかかわらず、次の温度検出のタイミングまでは搬送速度等を低下させる動作が継続されているために、記録のスループットが低下してしまう恐れがある。
【課題を解決するための手段】
【０００８】
本発明は、かかる問題点を解決すべくなされたもので、そのために、本発明は、インクを吐出するための記録ヘッドを用いて記録媒体に対し記録を行うインクジェット記録装置において、
前記記録を行うために送給された記録媒体を前記記録ヘッドに対して搬送する手段と、
前記記録ヘッドの温度を検出する手段と、
現在の記録媒体への記録に先立って検出された前記記録ヘッドの現在温度および以前の記録媒体への記録時に検出された前記記録ヘッドの過去温度を、それぞれ、第１および第２の基準温度と比較する比較手段と、
当該比較に基づいて前記搬送を制御する搬送制御手段と、
を具えたことを特徴とする。
【０００９】
ここで、前記搬送制御手段は、前記現在温度が前記第１基準温度以上であり、かつ前記過去温度が前記第２基準温度以上である場合にのみ、前記送給から前記記録後の前記記録媒体の排出に至る搬送時間が長くなるよう、前記搬送を制御するものとすることができる。そして、前記記録ヘッドによる記録に先立って前記搬送を停止する、あるいは、前記記録時における前記搬送の速度を低下させるものとすることができる。
【００１０】
以上において、前記過去温度は、直前の記録媒体への記録時に検出された最高温度とすることができる。また、記録装置は手動による前記送給を許容するものとすることができる。さらに、前記記録ヘッドは、インクを吐出するために利用されるエネルギとして、インクに膜沸騰を生じさせる熱エネルギを発生する素子を有するものとすることができる。
【００１１】
また、本発明は、インクを吐出するための記録ヘッドを用いて記録媒体に対し記録を行うインクジェット記録装置の制御方法において、
前記記録を行うために送給された記録媒体を前記記録ヘッドに対して搬送する手段と、
前記記録ヘッドの温度を検出する手段と、を具え、
現在の記録媒体への記録に先立って検出された前記記録ヘッドの現在温度および以前の記録媒体への記録時に検出された前記記録ヘッドの過去温度を、それぞれ、第１および第２の基準温度と比較し、当該比較に基づいて前記搬送を制御することを特徴とする。
【発明の効果】
【００１２】
本発明では、一律のタイミングで温度検出を行い、単一の温度基準に照らした制御を行うのではなく、今回の記録時における検出温度と過去の記録時における検出温度とを用い、それぞれを別の温度基準と比較し、柔軟性に富んだ搬送制御を行うことが可能となり、連続的な記録を行う場合における記録ヘッドの昇温を抑制しながら、記録のスループット低下を避けることができるようになる。
【発明を実施するための最良の形態】
【００１３】
以下、図面を参照して本発明を詳細に説明する。
（第１の実施形態）
図１（ａ）および（ｂ）は、それぞれ、本発明の第１の実施形態に係るインクジェット記録装置の模式的平面図および模式的正面図である。
【００１４】
ここで、１１７は、例えば記録媒体Ｐの幅に対応した範囲にわたって複数のノズルを配列してなる所謂ラインヘッド形態の記録ヘッドであり、用いるインク色に応じて１以上の個数（図示の例では例えばイエロー、マゼンタ、シアンおよびブラックのインク色に対応して４本）設けられる。記録ヘッド１１７としては、例えばインクを吐出するために利用されるエネルギとしてインクに膜沸騰を生じさせる熱エネルギを発生する素子を有したものが用いられる。
【００１５】
記録ヘッド１１７は、キャリッジ１２０に搭載され、ガイド１２２に沿って、記録媒体Ｐが搬送される搬送部１２４に対向する位置と、その側方に設けたキャップ１２６に対向する位置（図１（ａ）において一点鎖線で示す位置）との間で移動可能である。
【００１６】
記録媒体Ｐは、これらの図の左方から、所謂手差し給紙の形態での送給が可能であり、搬送部１２４の上流側に設けられた搬送ローラ対１３２により挟持搬送されて、記録ヘッド１１７と対向する搬送部１２４上の被記録位置に導かれるとともに、下流側（排紙側）の搬送ローラ対１３４により挟持されながら装置外に排出される。なお、記録媒体Ｐの供給は、搬送ローラ対１３２より上流側の位置に設けられた記録媒体センサ１３６により検知される。
【００１７】
図２は第１の実施形態に係るインクジェット記録装置の制御系の構成例を示すブロック図である。
【００１８】
図において、１００は、記録装置に対して記録すべき画像データの供給源をなす例えばコンピュータなどのホスト装置、１０２はホスト装置１００に対し記録装置を接続するためのインタフェースコントローラ、１０８は図４について後述する処理手順に対応したプログラム等に従って記録装置の全体的な制御を行うＣＰＵ、１０３はそのプログラムや固定データを格納したＲＯＭ、１０４は作業用メモリ領域として用いられるワークＲＡＭである。１０５はＣＰＵ１０８が制御のために使用する所要のパラメータ（例えば、図１に示したように記録ヘッド１１７を複数配置した場合に、記録ヘッド間の搬送方向における位置ずれに起因した記録ドット形成位置を補正するための駆動タイミング補正データ）等を、記録装置の電源が遮断されている場合にも保持しておくためのＥＥＰＲＯＭである。
【００１９】
１０６はオペレーションパネルであり、記録装置に対して操作者が指示を与えるためのキー，ボタンや、操作者に対して記録装置が呈示するメッセージなどを表示するための表示部等を設けたものとすることができる。１０９は所要の外部機器を接続するための入出力（Ｉ／Ｏ）ポートである。
【００２０】
１０７はインタフェースコントローラ１０２に受信した画像データを記録データとして展開するためのイメージメモリである。１１０はイメージメモリ１０７に展開された記録データを記録の進捗に従って読み出し、記録ヘッド１１７に供給するための記録ヘッド制御回路である。また、記録ヘッド制御回路１１０は、記録ヘッド１１７に設けられた温度センサ（図３）による検出データをＣＰＵ１０８に供給する。
【００２１】
１１３はキャリッジモータであり、記録ヘッド１１７が搬送部１２４に対向する位置またはキャップ１２６に対向する位置に設定されるよう、キャリッジ１２０を移動させる駆動源をなし、キャリッジ１２０とは不図示の伝動機構を介して接続されている。
【００２２】
１１４はキャッピングモータであり、記録ヘッド１１７がキャップ１２６と対向している状態においてキャップ１２６を上昇させ、記録ヘッド１１７のノズル形成面をキャッピングさせる動作を行うための駆動源である。記録ヘッド１１７のノズル形成面は、記録動作時以外は、キャップ１２６によって外気と遮断され、各ヘッドのノズル内方のインクが乾燥しないように保湿される。
【００２３】
また、キャッピング状態、もしくはキャップ１２６と記録ヘッド１１７とが近接対向した状態で、インク供給系の加圧等によりノズルからインクの強制排出を行わせたり、あるいはヘッドを駆動してインク吐出動作（予備吐出）を行わせることで、ヘッドのインク吐出性能を良好な状態に維持または回復するための回復処理が行われる。１１６はキャップ１２６に接続されたポンプ（不図示）の駆動源をなすポンプモータであり、その駆動に伴い、強制排出または予備吐出等によりキャップ１２６に受容されたインクが排出または回収される。
【００２４】
１１５は記録媒体Ｐの搬送源をなす搬送モータであり、不図示の伝動機構を介して搬送ローラ対１３２，１３４等と接続されている。１１２は各部モータ１１３〜１１６の制御部であり、入出力部（Ｉ／Ｏ）１１１を介してＣＰＵ１０８に接続されている。
【００２５】
図３は記録ヘッド１１７に対する温度検出系の概略を示す模式図である。ここで、１１８は例えばダイオードセンサであり、記録ヘッド１１７の適宜の位置に適宜の個数（図では３個）配置されている。１１９は温度検出手段であり、ダイオードセンサ１１８の検出出力に基づいて記録ヘッド１１７の温度検出を行い、記録ヘッド制御回路１１０およびＣＰＵ１０８に供給する。ここで、供給するデータは、センサが複数ある場合には、それらの平均値であっても、あるいは最高値であってもよく、温度に応じた適切な制御を行うために供されるものであればよい。
【００２６】
記録ヘッド制御回路１１０は、検出された温度情報に基づいて、インクを吐出するために利用されるエネルギ（本実施形態では熱エネルギ）を発生する素子（吐出ヒータ）を駆動する信号の制御（例えば温度に応じた駆動パルス幅の調整）を行うことができる。また、ＣＰＵ１０８は検出された温度情報を常にモニタリングし、検出温度に応じて記録ヘッドの吐出制御やエラー検出等を行い、例えば異常な高温が検出された場合などには装置の停止を行うような制御を実施することができる。また、ＣＰＵ１０８は、図４について後述する処理手順において、搬送制御を実施する。
【００２７】
以上の構成において、操作者がホスト装置１００を操作することで記録開始命令を与えると、画像データその他の情報が制御コマンドに変換され、記録装置に供給される。すなわち、ホスト装置１００は記録しようとする画像データをインタフェースコントローラ１０２に転送し、記録開始を指示する。ＣＰＵ１０８は受信コマンドを解析し、画像データを記録装置ないし記録ヘッドの構成にあわせてビットマップ展開し、記録データとしてイメージメモリ１０７に格納する。なお、ホスト装置１００を介さずオペレーションパネル１０６を用いて記録開始命令を与えることも可能である。
【００２８】
一方、記録動作の前処理として、ＣＰＵ１０８は入出力ポート１０９および駆動部１１２を介してキャッピングモータ１１４駆動し記録ヘッド１１７とのキャッピング状態を解除する。さらに、給紙部にあるセンサ１３６（図１（ｂ））により記録媒体があることが検知されている場合は、キャリッジモータ１１３を駆動して、記録ヘッド１１７を記録位置に移動させる。
【００２９】
記録動作を実行する際には、記録媒体が搬送ローラ対１３２により給紙位置から搬送され、記録媒体先端部の領域が記録ヘッド１１７と対向する記録位置に至ると、これ以降、ＣＰＵ１０８は搬送に同期してイメージメモリ１０７から対応する記録データを順次読み出し、記録ヘッド制御回路１１０を介して記録に必要なノズルを記録データに応じて選択することで、そのノズルの吐出ヒータへの駆動信号が供給されるようにする。これに応じて吐出ヒータが発熱することでインクが加熱され、例えば膜沸騰による発泡を原動力としてインクが吐出されて画像の記録が行われる。画像が記録された後、記録媒体は搬送ローラ対１３４により装置外に排出されて行く。１枚の記録媒体に対する記録終了後、後続の記録媒体に対しても記録を行う場合は、記録ヘッド１１７は記録位置で待機し、それ以外の場合はキャップ位置に移動設定される。
【００３０】
以上が基本的な記録動作であるが、本実施形態は、記録ヘッドの温度に応じ、１枚の記録媒体の送給から排出に至る搬送時間を制御する。具体的には、記録ヘッドの温度に応じて記録動作を開始する前に搬送を停止し、記録ヘッドの昇温を適切に抑制してから、記録を行うことができるようにする。さらに、一律のタイミングで温度検出を行い、単一の温度基準に照らした制御を行うのではなく、今回の記録時における検出温度とそれ以前（過去）の記録時における検出温度とを用い、それぞれを別の温度基準と比較した上で、搬送の制御を行う。
【００３１】
図４は本実施形態における昇温抑制の処理を含む記録処理手順のフローチャートである。上述のように記録開始命令が与えられ、記録データがイメージセンサ１０７に格納される一方、センサ１３６により記録媒体Ｐが給紙位置にセットされたことが検出され、記録ヘッド１１７のキャッピング解除ないし記録位置への移動設定が行われると、まずセンサ１１８から温度検知手段１１９を介して記録ヘッド１１７の温度の現在値を取得する（ステップＳ１）。そして、この現在温度を第１の基準温度（例えば５０℃）と比較し（ステップＳ２）、第１の基準温度未満であると判定されれば、そのまま記録媒体を搬送させ、記録動作（ステップＳ５）を開始する。
【００３２】
一方、現在温度が第１の基準温度以上であると判定された場合にはステップＳ３に進み、今回の記録以前での記録時（本例では現在記録しようとする記録媒体の前に送給された記録媒体に対する記録時）において検出された最高温度を、第２の基準温度（例えば第１の基準温度より高い６０℃）と比較する。そして、第２の基準温度未満であると判定されれば、そのまま記録媒体を搬送させ、記録動作（ステップＳ５）を開始する。
【００３３】
また、現在温度が第１の基準温度以上であり、かつ前回記録時の最高温度が第２の基準温度以上である場合にはステップＳ３にて肯定判定がなされ、この場合はステップＳ５に進み、搬送を停止して記録媒体の搬送タイミングを所定時間（例えば１．５秒）遅らせてから、搬送を開始させ記録動作（ステップＳ５）が開始されるようにする。この搬送のタイミングについては、使用する記録ヘッドの構造や、インクの特性、記録の解像度、ノズルの駆動周波数等を考慮し、連続した記録を行っても記録ヘッドが昇温し続けないような間隔となるように設定すればよい。
【００３４】
ここで、記録媒体の搬送停止は、予め搬送ローラ対を駆動しないようにすることで行うことができる。また、ある程度搬送を行った上で、記録媒体先端部付近の所定の記録開始位置が記録ヘッドとの対向位置を通過する前の適切な位置にて搬送を停止するようにしてもよい。つまり、記録媒体の搬送を停止する位置については、記録媒体先端部付近の所定の記録開始位置が記録ヘッドと対向する位置から上流の給紙側の位置であれば、どの位置で停止するものでもよい。さらに、搬送ローラを停止させて搬送を停止するものとするほか、例えば上流側の搬送ローラ対と給紙位置との間に開閉可能なゲートを設け、所定の場合にはこれを閉じることで、搬送が許容されないようにするものでもよい。
【００３５】
また、前回記録時における最高温度を保持するためには、ワークＲＡＭ１０４の一部の記憶領域を利用し、ある記録媒体の記録に際して最高値が検出されるたびにその内容を書き換えてゆくようにすればよい。また、その内容が次の（現在の）記録媒体の記録時においてステップＳ３の処理に供された後は、その内容をクリアし、当該記録媒体について最高温度が保持されるようにすればよい。
【００３６】
以上のように、本実施形態によれば、一律のタイミングで温度検出を行い、単一の温度基準に照らした制御を行うのではなく、柔軟性に富んだ搬送制御を行うことで、連続的な記録を行う場合における記録ヘッドの昇温を抑制しながら、記録のスループット低下を避けることが可能となる。
【００３７】
すなわち、本実施形態の場合、まず今回の記録開始時における検出温度（現在温度）をまず第１の基準温度と比較し、第１の基準温度未満であれば問題がないと判定して、通常の搬送タイミングにてそのまま搬送を行い、記録を行うようにしている。手動給紙を行う場合は、給紙ないし記録のタイミングが必ずしも一定間隔とはならないため、ある記録媒体の記録時に記録ヘッドが昇温していても、給紙間隔が何らかの要因で長くなり、問題のない温度まで記録ヘッド温度が下降していることがある。つまり、今回の記録に先立って温度検出を行った結果、第１の基準温度未満であれば、記録媒体の搬送タイミングを遅らせることはなく、従って必要以上の記録スループット低下が生じることはない。
【００３８】
また、現在温度が第１の基準温度以上であっても、前回の記録時における最高温度が第２の基準温度未満であれば、記録媒体の搬送タイミングを遅らせることなくそのまま搬送を続けて記録を開始させるようにしている。これは記録データが少ないなどの理由により顕著な昇温がないとみなしてよい場合であり、従ってこのような場合の記録スループットの低下も生じない。以上に対して、現在温度が第１の基準温度以上であり、かつ前回の記録時における最高温度が第２の基準温度以上の場合は、顕著な昇温があると考えられるので、そのような場合にのみ、搬送タイミングが遅らされることになる。
【００３９】
（その他の実施形態）
以上の実施形態においては、所定の場合に記録媒体の搬送を停止し、搬送タイミングを遅らせることで記録ヘッド温度の上昇を防止するようにしたが、その代わりに、またはこれとともに、搬送速度を低下させることで記録ヘッドの温度上昇を抑制するようにしてもよい。このときの搬送速度についても、先と同様、使用する記録ヘッドの構造や、インクの特性、記録の解像度、ノズルの駆動周波数等を考慮し、連続した記録を行っても記録ヘッドが昇温し続けないような間隔となるように設定すればよい。
【００４０】
また、上述の実施形態では、直前の記録媒体の記録時における検出温度の最高値を第２の基準温度と比較するようにしたが、記録ヘッドの昇温を抑制しながら、記録のスループット低下を避ける制御が可能となるものであれば、必ずしも最高温度でなくてもよく、また直前の記録時のものでなくてもよい。また、過去の温度を単一のものとしなくてもよい。すなわち、本実施形態は、温度の現在値のみを用いるのではなく、過去の検出温度をも勘案することで、記録ヘッドの昇温を抑制しながら記録のスループット低下を避けることのできる適切な搬送制御を行うこと主たる特徴とするものである。
【００４１】
さらに、比較対象となる基準温度についても、上記数値は例示であり、選択する検出温度との関係から適切な値に設定できることは言うまでもない。
【００４２】
加えて、上例では、インクを吐出するために利用されるエネルギとして熱エネルギを発生する素子を有した記録ヘッドを用いる場合について説明した。かかる記録ヘッドは熱エネルギをインク吐出の原動力としているので、連続的に記録を行う場合は印加されたエネルギを放熱しきれずにヘッド温度が上昇することがあるので、本発明を好ましく適用できるものである。しかし昇温は必ずしもヘッド自身の構成に起因するものとは限らず、熱エネルギを利用するものであると否とを問わず、装置の他の部位からの伝熱によって記録ヘッドの昇温が生じるのであれば、例えばピエゾ素子などを有し、機械的エネルギをインク吐出の原動力とする記録ヘッドを用いる場合にも、本発明は有効に適用できる。
【図面の簡単な説明】
【００４３】
【図１】（ａ）および（ｂ）は、それぞれ、本発明の第１の実施形態に係るインクジェット記録装置の模式的平面図および模式的正面図である。
【図２】第１の実施形態に係るインクジェット記録装置の制御系の構成例を示すブロック図である。
【図３】記録ヘッドに対する温度検出系の概略を示す模式図である。
【図４】第１の実施形態における記録ヘッドの昇温抑制の処理を含む記録処理手順の一例を示すフローチャートである。
【符号の説明】
【００４４】
１００  ホストＰＣ
１０３  プログラムＲＯＭ
１０４  ワークＲＡＭ
１０６  オペレーションパネル
１０７  イメージメモリ
１０８  ＣＰＵ
１１０  記録ヘッド制御装置
１１１  入出力部（Ｉ／Ｏ）
１１２  制御部
１１３、１１４、１１５、１１６  モータ
１１７  記録ヘッド
１１８  センサ
１１９  温度検知手段
１２４  搬送部
１３２、１３４  搬送ローラ対
１３６  記録媒体センサ
Ｐ  記録媒体
【図１】
2006051738.tif 000003
【図２】
2006051738.tif 000004
【図３】
2006051738.tif 000005
【図４】
2006051738.tif 000006